(57)【特許請求の範囲】
【請求項１】
パチンコ機本体に後付け可能な遊技盤の主基板を覆うカバーと、
前記カバーの頂面に形成された係止用と結合用の少なくとも２つの取付孔と、
前記パチンコ機本体に設けられ、前記２つの取付孔と同じ配置で、同じ形状の取付孔が形成された取付板と、
前記係止用の取付孔と係止される係止部と、前記結合用の取付孔に位置合わせされた状態でクリップで前記結合用の取付孔と結合される結合孔と、が形成されたパチンコ機のオプション部品と、を有し、
前記オプション部品を、搬送時には前記カバーの頂面に取り付け、納品後には、前記カバーの頂面から取外し、前記取付板に取り付けたことを特徴とするパチンコ機のオプション部品の取付構造。
【請求項２】
前記オプション部品が音声制御基板であり、前記音声制御基板と前記遊技盤の主基板とが配線で接続されていることを特徴とする請求項１に記載のパチンコ機のオプション部品の取付構造。
【請求項３】
前記オプション部品の縁部が当接する段差が前記カバーの長手方向に沿って形成されたことを特徴とする請求項２に記載のパチンコ機のオプション部品の取付構造。
【発明の詳細な説明】
【０００１】
【発明の属する技術分野】
本発明はパチンコ機に係り、詳しくは、パチンコ機本体側へ取付けられる音声制御基板等のオプション部品を搬送するパチンコ機オプション部品の搬送方法及びパチンコ機オプション部品の取付構造に関する。
【０００２】
【従来の技術】
通常、音声制御基板は、パチンコ機本体に設けられた賞球払い出し装置の裏側に固定具で着脱可能に取付けられており、音声制御基板に必要な電源配線や制御配線は、遊技盤の裏面に設けられた主基板と接続される。そして、これらの配線作業は生産ラインの流れ作業の中で実施されるので、配線の接続ミスは起こり難い。
【０００３】
ところで、音声制御基板のＲＡＭやＲＯＭには、各機種毎で使用する音声データが入っているので、パチンコ機本体と別に遊技盤だけを納品する場合、音声制御基板も同時に納品するようになる。
【０００４】
しかし、音声制御基板は、上述したように、パチンコ機本体に設けられた賞球払い出し装置の裏側に取付けられるようになっているため、遊技盤とは別々に納品していた。このため、納品ミスや受取り側（パチンコホール側）の納品管理の手違いが発生していた。これは、音声制御基板だけでなく、ランプや飾り等の消耗品をパック詰めしたサービスパックについても同じことが言える。
【０００５】
また、納品された遊技盤をパチンコ機本体に取付けた後、電源配線と制御配線を主基板に接続しなければならないが、生産ラインで接続する場合に比べて、配線の接続ミスが発生しやすい。
【０００６】
【発明が解決しようとする課題】
本発明は上記事実を考慮して、音声制御基板等のオプション部品の納品ミスを無くし、また、配線の接続ミスを防止することを課題とする。
【０００７】
【課題を解決するための手段】
請求項１に記載の発明は、パチンコ機本体に後付け可能な遊技盤の主基板を覆うカバーと、前記カバーの頂面に形成された係止用と結合用の少なくとも２つの取付孔と、前記パチンコ機本体に設けられ、前記２つの取付孔と同じ配置で、同じ形状の取付孔が形成された取付板と、前記係止用の取付孔と係止される係止部と、前記結合用の取付孔に位置合わせされた状態でクリップで前記結合用の取付孔と結合される結合孔と、が形成されたパチンコ機のオプション部品と、を有し、  前記オプション部品を、搬送時には前記カバーの頂面に取り付け、納品後には、前記カバーの頂面から取外し、前記取付板に取り付けたことを特徴としている。
【０００８】
上記構成では、主基板を覆うカバーの頂面には、パチンコ機本体に取付けられるオプション部品を仮止めするための取付孔が、係止用と結合用の少なくとも２つ形成されている。
係止用の取付孔には、オプション部品の係止部が係止され、結合用の取付孔とオプション部品の結合孔とが位置合わせされ、位置合わせされた状態で、クリップで結合される。
このように、オプション部品を２箇所で固定することで、オプション部品が搬送中に回転することがない。また、カバーに取付孔を形成するだけの簡単な構成で済むので、金型の設計が容易となる。さらに、クリップでオプション部品が仮止めされる構造なので、取り外しが容易となる。
また、パチンコ機側にはオプション部品を取り付けるための取付板が設けられており、この取付板には、主基板を覆うカバーの頂面と同じ配置で、同じ形状の取付孔が形成されている
パチンコホール側は、納品された遊技盤からオプション部品を取り外し、パチンコ機側に設けられた取付板へ取り付ける。この取付板には、主基板を覆うカバーと同じ取り付け孔が形成されているので、オプション部品の係止部を係止用の取付孔に係止した状態で、オプション部品の結合孔と結合用の取付孔とを位置合わせし、位置合わせした状態で、オプション部品をクリップだけで簡単に取り付けることができる。
上記構成では、遊技盤の主基板を覆うカバーの頂面に、パチンコ機本体に取付けられるオプション部品が仮止めされ一体となって搬送されるので、納品ミスがなくなる。また、遊技盤にオプション部品を仮止めするための部材やスペースを追加する必要がなくなる。なお、カバーは、不正防止、こぼれた球で主基板が損傷しないためのシールドである。
【０００９】
請求項２に記載の発明は、前記オプション部品が音声制御基板であり、前記音声制御基板と前記遊技盤の主基板とが配線で接続されていることを特徴としている。
【００１０】
上記構成では、オプション部品としての音声制御基板と遊技盤の主基板とが配線で接続されて仮止めされているため、受取り側で接続する必要がない。この結果、配線の接続ミスがなくなる。
【００１５】
請求項３に記載の発明は、前記オプション部品の縁部が当接する段差が前記カバーの長手方向に沿って形成されたことを特徴としている。
【００１６】
上記構成では、パチンコ機本体に取付けられるオプション部品の縁部をカバーの長手方向に沿って形成された段差に当接させて仮止めするため、オプション部品がぐらつかず回転しない。
【００１７】
【発明の実施の形態】
以下、図面を参照して本発明の実施の形態を説明する。
（パチンコ機の概略説明）
図１に示す、本実施形態に係るパチンコ機１０は、発射装置を遊技盤２８の左側下方に配置して遊技球を上方に発射する機種である。
【００１８】
パチンコ機１０は島に取付けるための外枠１２を備えている。外枠１２の前面には、窓部を有する額縁状の内枠１４の一側部が開閉可能に取付けられている。
【００１９】
内枠１４の窓部には、交換可能とされた遊技盤２８が窓部を塞ぐように設置されている。遊技盤２８の盤面に、ガイドレール３４に囲まれた遊技領域が形成されている。遊技領域には、特別図柄表示装置や大入賞口（変動入賞装置）等の役物、始動口、入賞口、アウト口が配置されている。
【００２０】
また、内枠１４の縦枠には、ガラス１８が嵌め込まれたガラス枠２０が開閉可能に取付けられている。このガラス枠２０と内枠１４は、内枠１４の他側部に設けられた施錠装置（シリンダ）１６により施錠され、ガラス１８で遊技領域が閉塞される。
【００２１】
ガラス枠２０の下方位置には、パチンコ機本体内の賞球払出装置から払い出された遊技球（貸球）や賞球を貯留して発射装置へと誘導する球皿部２４を備えた一体皿２６が内枠１４の縦枠に開閉可能に取付けられている。
【００２２】
一体皿２６の前面には、左側下部に灰皿３２が配置され、右側下部には発射装置から発射する遊技球の飛距離を調整するための発射ハンドル３０が設けられている。
（音声制御基板の仮止め構造）
図２及び図３に示すように、遊技盤２８の裏面には、セット板３６が固定されており、このセット板３６には主基板３８が取付けられている。主基板３８は、ボックス状のリアカバー４２で覆われており、不正を防止すると共に、こぼれた球で主基板３８が損傷しないようにしている。リアカバー４２の開口縁部からはフランジ４４が張り出しており、このフランジ４４に形成されたねじ孔４６にねじ４８をねじ込むことで、リアカバー４２がセット板３６に固定される。
【００２３】
また、リアカバー４２の頂面には、Ｕ字形状を描くように所定の間隔で細長い貫通孔５０が連続して形成されている。隣合う貫通孔５０をつなぐ部分をニッパ等で切断することで、リアカバー４２の頂面が開放し、主基板３８を露出させることができる。
【００２４】
これにより、第三者試験機関が抜き取り検査を行う場合、リアカバー４２を取り外さなくても、情報端子基板から配線を取り出して別の電子機器へ接続することができるので、検査のスピード化を図ることができる。
【００２５】
また、リアカバー４２の頂面には長手方向に沿って細長の空気孔５２が複数形成されている。これにより、リアカバー４２の内部の熱を外部に逃がすことができる。
【００２６】
さらに、リアカバー４２の頂面には、Ｔ字状の取付孔６２が２つ、円形の取付孔６４が取付孔６２と離れた個所に１つ形成されている。図４に示す取付孔６２の拡幅部６２Ａから、長方形状の音声制御基板５４に形成されたフック５６の爪部５６Ａが挿入されるようになっている。
【００２７】
また、音声制御基板５４には、フック５６と離れた個所に円形の結合孔５８が形成されており、フック５６の爪部５６Ａを取付孔６２へ挿入した状態で取付孔６４側へスライドさせると、結合孔５８と取付孔６２が一致すると共に、フック５６の基部５６Ｂが取付孔６２の狭幅部６２Ｂに嵌り、パチンコ機本体に取付けられる音声制御基板５４がリアカバー４２の頂面から抜け落ちないようになっている。
【００２８】
この状態で、クリップ６０を結合孔５８、取付孔６４へ押し込むことで、音声制御基板５４がリアカバー４２の頂面に仮止めされる。このように、３箇所でパチンコ機本体に取付けられる音声制御基板５４を仮止めすることで、遊技盤２８を搬送するとき、音声制御基板５４の回転動作を防止することができる。なお、実施例では、クリップ６０を装着したが、取り外しが容易であれば特にクリップでなくてもライナッチ等の固定部材でもよい。
【００２９】
一方、リアカバー４２の頂面には長手方向に沿って段差６６が形成され、低い方に音声制御基板５４が載置される。つまり、音声制御基板５４の側面５４Ａが段差６６の立壁に当接するため、音声制御基板５４の回転動作が防止される。
【００３０】
また、パチンコ機本体に取付けられる音声制御基板５４はリアカバー４２の頂面に仮止めされた状態で、既にハーネス等の配線６８より、主基板３８と接続されている。
【００３１】
次に、遊技盤の納品方法、及び音声制御基板の取付方法を説明する。
【００３２】
図３〜図５に示すように、遊技盤２８の主基板を覆うリアカバー４２の頂面の取付け孔６２へ音声制御基板５４のフック５６を挿入し、結合孔５６、取付孔６４へクリップ６０を押し込んで、リアカバー４２の頂面にパチンコ機本体に取付けられる音声制御基板５４を仮止めする。すなわち、遊技盤２８に音声制御基板５４を仮止めして一体に搬送納品するので、音声制御基板５４の納品ミスがなくなる。また、パチンコホール側でも品質管理が単純化できる。
【００３３】
なお、この音声制御基板５４の仮止め作業は主として生産ラインで行われるが、この生産ライン上でも音声制御基板５４がぐらつかないので、取り扱いが容易となる。また、生産ラインで音声制御基板５４と遊技盤２８の主基板３８とが配線６８で接続されるため、パチンコホール側で配線する必要がないため、接続ミスがなくなる。
【００３４】
パチンコホール側は納品された遊技盤２８から音声制御基板５４を取り外し、パチンコ機１０側に設けられた取付板７０へ取付ける。この取付板７０には、リアカバー４２と同じ、取付孔６２、６４が形成されているので、音声制御基板５４をクリップ６０だけで簡単に取付けることができる。
【００３５】
なお、本実施例では、音声制御基板を例に採って納品する方法を説明したが、ランプ等の他のパチンコ機本体に取付けられるオプション部品を遊技盤に仮止めして納品することも無論可能である。
【００３６】
本発明は上記構成としたので、パチンコ機本体に取付けられる音声制御基板等のオプション部品の納品ミスがなくなり、また、配線の接続ミスを防止することができる。
【図面の簡単な説明】
【図１】本形態に係るパチンコ機オプション部品の取付構造が適用されたパチンコ機の内枠、ガラス枠を開放した状態を示す分解斜視図である。
【図２】本形態に係るパチンコ機オプション部品の取付構造が適用されたパチンコ機本体、遊技盤との関係を示す分解斜視図である。
【図３】本形態に係るパチンコ機オプション部品の取付構造が適用された遊技盤、リアカバー、音声制御基板の関係を示す分解斜視図である。
【図４】音声制御基板の仮止め部分の拡大図である。
【図５】本形態に係るパチンコ機オプション部品の取付構造が適用された遊技盤、リアカバー、音声制御基板の関係を示す平面図である。
【図６】本形態に係るパチンコ機オプション部品の取付構造が適用された遊技盤、リアカバー、音声制御基板の関係を示す平面図である。
【符号の説明】
２８      遊技盤
４０      リアカバー（カバー）
５４      音声制御基板（オプション部品）
５６      フック（係止部）
５８      結合孔
６２      取付孔
６４      取付孔
６６      段差
６８      配線
【図１】
0003980860.tif 000002
【図２】
0003980860.tif 000003
【図３】
0003980860.tif 000004
【図４】
0003980860.tif 000005
【図５】
0003980860.tif 000006
【図６】
0003980860.tif 000007